(57)【要約】      （修正有）【課題】所望の商品が陳列されているか否かを知ることができると共に、取得した商品が所望の商品と一致するか否かを知ることができ、また、陳列されている商品の位置を精度良く知ることができ、さらに、所定の条件に適合する商品構成品目を検索することが可能な商品検索システムを提供する。【解決手段】陳列された商品４に取り付けられたＩＣタグの識別情報を読み取るＩＣタグリーダー装置３と、ＩＣタグの識別情報に対応する商品の商品情報が少なくとも保存された記憶部を有し、所定の検索条件に基づき商品情報を検索し、検索した当該商品情報を送信するサーバ１と、ＩＣタグの識別情報を読み取るリーダー部及び操作部を有し、サーバ１と情報の授受を行う携帯端末２とを備える。【選択図】図１
2008027330.tif 000002
【特許請求の範囲】
【請求項１】
商品に取り付けられたＩＣタグの識別情報に対応する商品の商品情報が少なくとも保存された記憶手段を有し、所定の検索条件に基づき前記商品情報を検索し、検索した当該商品情報を送信する情報処理装置と、
前記ＩＣタグの識別情報を読み取るリーダー部及び操作部を有し、前記情報処理装置と情報の授受を行う携帯端末とを備え、
前記携帯端末は、前記情報処理装置で検索された前記商品情報を受信し、前記操作部の操作により、前記商品情報から選択された１又は複数の商品からなる買い物リストを生成し、前記商品が取得されたとき、当該商品のＩＣタグの識別情報を読み取り、読み取った前記ＩＣタグの識別情報に基づき所定の表示を行うことを特徴とする商品検索システム。
【請求項２】
陳列された商品に取り付けられたＩＣタグの識別情報を読み取るＩＣタグリーダー装置と、
前記ＩＣタグの識別情報に対応する商品の商品情報が少なくとも保存された記憶手段を有し、所定の検索条件に基づき前記商品情報を検索する情報処理装置と、
操作部を有し、前記情報処理装置と情報の授受を行う携帯端末とを備え、
前記情報処理装置は、前記携帯端末から商品の陳列位置要求を受信すると、前記ＩＣタグリーダー装置が読み取った前記ＩＣタグの識別情報と、予め保存された当該ＩＣタグリーダー装置の設置位置に関する情報とに基づき、前記陳列位置要求された商品の陳列位置を求めて前記携帯端末に送信し、
前記携帯端末は、前記情報処理装置で検索された前記商品情報を受信し、前記操作部の操作により、選択された商品の陳列位置の情報を要求する前記陳列位置要求を送信し、前記情報処理装置から前記商品の陳列位置情報を受信すると、求められた当該商品の陳列位置に関する表示を行うことを特徴とする商品検索システム。
【請求項３】
陳列された商品に取り付けられたＩＣタグの識別情報を読み取るＩＣタグリーダー装置と、
前記ＩＣタグの識別情報に対応する商品の商品情報が少なくとも保存された記憶手段を有し、所定の検索条件に基づき前記商品情報を検索し、検索した当該商品情報を送信する情報処理装置と、
前記ＩＣタグの識別情報を読み取るリーダー部及び操作部を有し、前記情報処理装置と情報の授受を行う携帯端末とを備え、
前記情報処理装置は、前記携帯端末から商品の陳列位置要求を受信すると、前記ＩＣタグリーダー装置が読み取った前記ＩＣタグの識別情報と、予め保存された当該ＩＣタグリーダー装置の設置位置に関する情報とに基づき、前記陳列位置要求された商品の陳列位置を求めて前記携帯端末に送信し、
前記携帯端末は、前記情報処理装置で検索された前記商品情報を受信し、
前記操作部の操作により、前記商品情報から選択された１又は複数の商品からなる買い物リストを生成し、
前記操作部の操作により、前記買い物リストから選択された商品の陳列位置の情報を要求する前記陳列位置要求を送信し、
前記情報処理装置から前記商品の陳列位置情報を受信すると、求められた当該商品の陳列位置に関する表示を行い、前記買い物リストに含まれる商品が取得されたとき、当該商品のＩＣタグの識別情報を読み取り、読み取った前記ＩＣタグの識別情報に基づき所定の表示を行うことを特徴とする商品検索システム。
【請求項４】
前記情報処理装置は、所定の検索条件に適合する商品構成品目を検索し、該商品構成品目から選択された品目の商品を、前記商品情報から検索することを特徴とする請求項１〜３の何れかに記載の商品検索システム。
【請求項５】
前記携帯端末は、陳列された前記商品の内、任意の商品のＩＣタグの識別情報を読み取り、読み取った前記ＩＣタグの識別情報を前記情報処理装置に送信し、
前記情報処理装置は、受信した前記ＩＣタグの識別情報に対応する商品を前記所定の検索条件として、該商品に応じた商品構成品目を検索し、該商品構成品目から選択された品目の商品を、前記商品情報から検索することを特徴とする請求項１〜３の何れかに記載の商品検索システム。
【請求項６】
前記ＩＣタグリーダー装置は、表示手段を備え、
前記情報処理装置は、前記陳列位置要求された商品の前記陳列位置情報に基づき、前記表示手段に所定の識別表示をさせることを特徴とする請求項２〜５の何れかに記載の商品検索システム。
【請求項７】
陳列された商品に取り付けられたＩＣタグの識別情報を読み取るＩＣタグリーダー装置を有する陳列棚端末と、
前記ＩＣタグの識別情報を読み取るリーダー部、操作部及び前記ＩＣタグの識別情報に対応する商品の商品情報が少なくとも保存された記憶手段を有し、所定の検索条件に基づき前記商品情報を検索する携帯端末とを備え、
前記陳列棚端末は、前記携帯端末から商品の陳列位置要求を受信すると、前記ＩＣタグリーダー装置が読み取った前記ＩＣタグの識別情報と、予め保存された当該ＩＣタグリーダー装置の設置位置に関する情報とに基づき、前記陳列位置要求された商品の陳列位置を求めて前記携帯端末に送信し、
前記携帯端末は、前記操作部の操作により、検索した前記商品情報から選択された１又は複数の商品からなる買い物リストを生成し、
前記操作部の操作により、前記買い物リストから選択された商品の陳列位置の情報を要求する前記陳列位置要求を送信し、
前記陳列棚端末から前記商品の陳列位置情報を受信すると、求められた当該商品の陳列位置に関する表示を行い、前記買い物リストに含まれる商品が取得されたとき、当該商品のＩＣタグの識別情報を読み取り、読み取った前記ＩＣタグの識別情報に基づき所定の表示を行うことを特徴とする商品検索システム。
【請求項８】
前記携帯端末は、所定の検索条件に適合する商品構成品目を検索し、該商品構成品目から選択された品目の商品を、前記商品情報から検索することを特徴とする請求項７記載の商品検索システム。
【請求項９】
前記携帯端末は、陳列された前記商品の内、任意の商品のＩＣタグの識別情報を読み取り、読み取った前記ＩＣタグの識別情報に対応する商品を前記所定の検索条件として、該商品に応じた商品構成品目を検索し、該商品構成品目から選択された品目の商品を、前記商品情報から検索することを特徴とする請求項７記載の商品検索システム。
【請求項１０】
前記陳列棚端末は、表示手段を備え、当該陳列棚端末が読み取った前記ＩＣタグの識別情報に対応する商品に、前記陳列位置要求された商品が含まれるとき、前記表示手段に所定の表示をさせることを特徴とする請求項７〜９の何れかに記載の商品検索システム。
【請求項１１】
前記ＩＣタグは、少なくとも当該ＩＣタグを唯一に特定する固有ＩＤが記録されていることを特徴とする請求項１〜１０の何れかに記載の商品検索システム。
【請求項１２】
前記記憶手段は、少なくとも前記ＩＣタグの固有ＩＤに対応する商品の商品情報が保存されていることを特徴とする請求項１１記載の商品検索システム。
【発明の詳細な説明】
【技術分野】
【０００１】
本発明は、商品検索システムに関し、特に、ＩＣタグを用いた商品検索システムに関する。
【背景技術】
【０００２】
従来のＩＣタグを用いた商品検索システムとしては、例えば、「商品の識別情報が記憶された非接触のＩＣタグと、陳列された商品に付された前記ＩＣタグから当該商品の識別情報を読み取ることが可能な読取手段と、前記読取手段により読み取られた商品の識別情報、及び、当該読取手段が設置されている位置に関する位置情報を含む商品関連情報を記憶する記憶手段と、前記記憶手段により記憶されている商品関連情報のなかから、利用者により入力された商品検索情報に適合する商品関連情報を検索する検索手段と、前記検索手段の検索結果に基づく商品関連情報を表示する表示手段とを備えた」ものが提案されている（例えば、特許文献１参照）。
【０００３】
【特許文献１】特開２００５−２７５７６３号公報（請求項１）
【発明の開示】
【発明が解決しようとする課題】
【０００４】
しかしながら、従来のＩＣタグを用いた商品検索システムは、ＩＣタグが読み取った情報に基づき、検索条件に適合する商品が陳列されている陳列位置情報を知ることは可能であるが、店舗内において実際の商品を取得した際に、取得した商品が検索した商品と一致するか否かを知ることができない、という問題点があった。
また、陳列位置情報に従い、ユーザが実際に陳列位置に移動する際、当該陳列位置が検索された陳列位置情報と一致するか否かを知ることができない、という問題点があった。
さらに、従来の商品検索システムは、所定の条件に適合する商品を検索するものであり、例えば、初心者などが専門店において、商品を組み合わせて使用するような商品を購入する際に、必要な商品構成品目を知ることができない、という問題点があった。
【０００５】
本発明は、このような問題点を解決するためになされたものであり、所望の商品が陳列されているか否かを知ることができると共に、取得した商品が所望の商品と一致するか否かを知ることができ、また、陳列されている商品の位置を精度良く知ることができ、さらに、所定の条件に適合する商品構成品目を検索することが可能な商品検索システムを提供することを目的とする。
【課題を解決するための手段】
【０００６】
本発明に係る商品検索システムは、商品に取り付けられたＩＣタグの識別情報に対応する商品の商品情報が少なくとも保存された記憶手段を有し、所定の検索条件に基づき前記商品情報を検索し、検索した当該商品情報を送信する情報処理装置と、前記ＩＣタグの識別情報を読み取るリーダー部及び操作部を有し、前記情報処理装置と情報の授受を行う携帯端末とを備え、前記携帯端末は、前記情報処理装置で検索された前記商品情報を受信し、前記操作部の操作により、前記商品情報から選択された１又は複数の商品からなる買い物リストを生成し、前記商品が取得されたとき、当該商品のＩＣタグの識別情報を読み取り、読み取った前記ＩＣタグの識別情報に基づき所定の表示を行う。
本発明においては、所定の検索条件に基づき検索した商品情報から、ユーザにより選択された１又は複数の商品からなる買い物リストを生成し、買い物リストに含まれる商品が取得されたとき、当該商品のＩＣタグの識別情報を読み取り、読み取った前記ＩＣタグの識別情報に基づき所定の表示を行っており、このため、ユーザは、取得した商品がユーザにより選択された１又は複数の商品からなる買い物リストに含まれる商品と一致するか否かを知ることができる。
【０００７】
本発明に係る商品検索システムは、陳列された商品に取り付けられたＩＣタグの識別情報を読み取るＩＣタグリーダー装置と、前記ＩＣタグの識別情報に対応する商品の商品情報が少なくとも保存された記憶手段を有し、所定の検索条件に基づき前記商品情報を検索する情報処理装置と、操作部を有し、前記情報処理装置と情報の授受を行う携帯端末とを備え、前記情報処理装置は、前記携帯端末から商品の陳列位置要求を受信すると、前記ＩＣタグリーダー装置が読み取った前記ＩＣタグの識別情報と、予め保存された当該ＩＣタグリーダー装置の設置位置に関する情報とに基づき、前記陳列位置要求された商品の陳列位置を求めて前記携帯端末に送信し、前記携帯端末は、前記情報処理装置で検索された前記商品情報を受信し、前記操作部の操作により、選択された商品の陳列位置の情報を要求する前記陳列位置要求を送信し、前記情報処理装置から前記商品の陳列位置情報を受信すると、求められた当該商品の陳列位置に関する表示を行う。
本発明においては、陳列位置要求により、陳列された商品に取り付けられたＩＣタグの識別情報を読み取り、読み取った識別情報とＩＣタグリーダー装置の設置位置に関する情報とにより、商品の陳列位置を求め、求めた当該商品の陳列位置に関する表示を行っており、このため、ユーザは、陳列位置要求した所望の商品が陳列されているか否かを知ることができると共に、陳列されている位置を精度良く知ることができる。
【０００８】
本発明に係る商品検索システムは、陳列された商品に取り付けられたＩＣタグの識別情報を読み取るＩＣタグリーダー装置と、前記ＩＣタグの識別情報に対応する商品の商品情報が少なくとも保存された記憶手段を有し、所定の検索条件に基づき前記商品情報を検索し、検索した当該商品情報を送信する情報処理装置と、前記ＩＣタグの識別情報を読み取るリーダー部及び操作部を有し、前記情報処理装置と情報の授受を行う携帯端末とを備え、前記情報処理装置は、前記携帯端末から商品の陳列位置要求を受信すると、前記ＩＣタグリーダー装置が読み取った前記ＩＣタグの識別情報と、予め保存された当該ＩＣタグリーダー装置の設置位置に関する情報とに基づき、前記陳列位置要求された商品の陳列位置を求めて前記携帯端末に送信し、前記携帯端末は、前記情報処理装置で検索された前記商品情報を受信し、前記操作部の操作により、前記商品情報から選択された１又は複数の商品からなる買い物リストを生成し、前記操作部の操作により、前記買い物リストから選択された商品の陳列位置の情報を要求する前記陳列位置要求を送信し、前記情報処理装置から前記商品の陳列位置情報を受信すると、求められた当該商品の陳列位置に関する表示を行い、前記買い物リストに含まれる商品が取得されたとき、当該商品のＩＣタグの識別情報を読み取り、読み取った前記ＩＣタグの識別情報に基づき所定の表示を行う。
本発明においては、所定の検索条件に基づき検索した商品情報から、ユーザにより選択された１又は複数の商品からなる買い物リストを生成し、買い物リストに含まれる商品が取得されたとき、当該商品のＩＣタグの識別情報を読み取り、読み取った前記ＩＣタグの識別情報に基づき所定の表示を行っており、このため、ユーザは、取得した商品がユーザにより選択された１又は複数の商品からなる買い物リストに含まれる商品と一致するか否かを知ることができる。
また、ユーザの操作による陳列位置要求により、陳列された商品に取り付けられたＩＣタグの識別情報を読み取り、読み取った識別情報とＩＣタグリーダー装置の設置位置に関する情報とにより、商品の陳列位置を求め、求めた当該商品の陳列位置に関する表示を行っており、このため、ユーザは、陳列位置要求した所望の商品が陳列されているか否かを知ることができると共に、陳列されている位置を精度良く知ることができる。
【０００９】
本発明に係る商品検索システムにおいて、前記情報処理装置は、所定の検索条件に適合する商品構成品目を検索し、該商品構成品目から選択された品目の商品を、前記商品情報から検索する。
本発明においては、所定の検索条件に適合する商品構成品目を検索して、この商品構成品目からユーザの操作により選択された品目の商品を、商品情報から検索しており、このため、ユーザは、所定の条件の場合に必要な商品の構成品目を知ることができると共に、品目毎の商品情報から購入する商品を選択することができる。
【００１０】
本発明に係る商品検索システムにおいて、前記携帯端末は、陳列された前記商品の内、任意の商品のＩＣタグの識別情報を読み取り、読み取った前記ＩＣタグの識別情報を前記情報処理装置に送信し、前記情報処理装置は、受信した前記ＩＣタグの識別情報に対応する商品を前記所定の検索条件として、該商品に応じた商品構成品目を検索し、該商品構成品目から選択された品目の商品を、前記商品情報から検索する。
本発明においては、ユーザにより取得された任意の商品に応じた商品構成品目を検索し、この商品構成品目からユーザの操作により選択された品目の商品を、商品情報から検索しており、このため、ユーザは、任意の商品に応じた商品構成品目を知ることができると共に、品目毎の商品情報から購入する商品を選択することができる。
【００１１】
本発明に係る商品検索システムにおいて、前記ＩＣタグリーダー装置は、表示手段を備え、前記情報処理装置は、前記陳列位置要求された商品の前記陳列位置情報に基づき、前記表示手段に所定の識別表示をさせる。
本発明においては、陳列位置要求された商品の陳列位置情報に基づき、表示手段に所定の識別表示をさせており、所望の商品が陳列されている位置を精度良く知ることができる。
【００１２】
本発明に係る商品検索システムは、陳列された商品に取り付けられたＩＣタグの識別情報を読み取るＩＣタグリーダー装置を有する陳列棚端末と、前記ＩＣタグの識別情報を読み取るリーダー部、操作部及び前記ＩＣタグの識別情報に対応する商品の商品情報が少なくとも保存された記憶手段を有し、所定の検索条件に基づき前記商品情報を検索する携帯端末とを備え、前記陳列棚端末は、前記携帯端末から商品の陳列位置要求を受信すると、前記ＩＣタグリーダー装置が読み取った前記ＩＣタグの識別情報と、予め保存された当該ＩＣタグリーダー装置の設置位置に関する情報とに基づき、前記陳列位置要求された商品の陳列位置を求めて前記携帯端末に送信し、前記携帯端末は、前記操作部の操作により、検索した前記商品情報から選択された１又は複数の商品からなる買い物リストを生成し、前記操作部の操作により、前記買い物リストから選択された商品の陳列位置の情報を要求する前記陳列位置要求を送信し、前記陳列棚端末から前記商品の陳列位置情報を受信すると、求められた当該商品の陳列位置に関する表示を行い、前記買い物リストに含まれる商品が取得されたとき、当該商品のＩＣタグの識別情報を読み取り、読み取った前記ＩＣタグの識別情報に基づき所定の表示を行う。
本発明においては、所定の検索条件に基づき検索した商品情報から、ユーザにより選択された１又は複数の商品からなる買い物リストを生成し、買い物リストに含まれる商品が取得されたとき、当該商品のＩＣタグの識別情報を読み取り、読み取った前記ＩＣタグの識別情報に基づき所定の表示を行っており、このため、ユーザは、取得した商品がユーザにより選択された１又は複数の商品からなる買い物リストに含まれる商品と一致するか否かを知ることができる。
また、ユーザの操作による陳列位置要求により、陳列された商品に取り付けられたＩＣタグの識別情報を読み取り、読み取った識別情報とＩＣタグリーダー装置の設置位置に関する情報とにより、商品の陳列位置を求め、求めた当該商品の陳列位置に関する表示を行っており、このため、ユーザは、陳列位置要求した所望の商品が陳列されているか否かを知ることができると共に、陳列されている位置を精度良く知ることができる。
【００１３】
本発明に係る商品検索システムにおいて、前記携帯端末は、所定の検索条件に適合する商品構成品目を検索し、該商品構成品目から選択された品目の商品を、前記商品情報から検索する。
本発明においては、所定の検索条件に適合する商品構成品目を検索して、この商品構成品目からユーザの操作により選択された品目の商品を、商品情報から検索しており、このため、ユーザは、所定の条件の場合に必要な商品の構成品目を知ることができると共に、品目毎の商品情報から購入する商品を選択することができる。
【００１４】
本発明に係る商品検索システムにおいて、前記携帯端末は、陳列された前記商品の内、任意の商品のＩＣタグの識別情報を読み取り、読み取った前記ＩＣタグの識別情報に対応する商品を前記所定の検索条件として、該商品に応じた商品構成品目を検索し、該商品構成品目から選択された品目の商品を、前記商品情報から検索する。
本発明においては、ユーザにより取得された任意の商品に応じた商品構成品目を検索し、この商品構成品目からユーザの操作により選択された品目の商品を、商品情報から検索しており、このため、ユーザは、任意の商品に応じた商品構成品目を知ることができると共に、品目毎の商品情報から購入する商品を選択することができる。
【００１５】
本発明に係る商品検索システムにおいて、前記陳列棚端末は、表示手段を備え、当該陳列棚端末が読み取った前記ＩＣタグの識別情報に対応する商品に、前記陳列位置要求された商品が含まれるとき、前記表示手段に所定の表示をさせる。
本発明においては、陳列棚端末が読み取ったＩＣタグの識別情報に対応する商品に、陳列位置要求された商品が含まれるとき、表示手段に所定の表示をさせており、所望の商品が陳列されている位置を精度良く知ることができる。
【００１６】
本発明に係る商品検索システムにおいて、前記ＩＣタグは、少なくとも当該ＩＣタグを唯一に特定する固有ＩＤが記録されている。
本発明においては、ＩＣタグに当該ＩＣタグを唯一に特定する固有ＩＤが記録されており、ＩＣタグが取り付けられた商品が識別することができる。
【００１７】
本発明に係る商品検索システムにおいて、前記記憶手段は、少なくとも前記ＩＣタグの固有ＩＤに対応する商品の商品情報が保存されている。
本発明においては、記憶手段は、少なくとも前記ＩＣタグの固有ＩＤに対応する商品の商品情報が保存されており、ＩＣタグが取り付けられた商品の商品情報を検索することができる。
【発明を実施するための最良の形態】
【００１８】
実施の形態１．
図１は実施の形態１に係る商品検索システムのシステム構成図である。本実施の形態における商品検索システムは、店舗内又は所定の位置に設置されたサーバ１と、商品を購入する複数の顧客（以下、ユーザという）が店舗内においてそれぞれ携帯する携帯端末２と、店舗内に複数配置された商品陳列棚４００の１又は所定の数ごとにそれぞれ配置されたＩＣタグリーダー装置３とから構成されている。尚、図１においては、携帯端末２及びＩＣタグリーダー装置３は一式のみを図示している。サーバ１は、所定の検索条件に基づき商品情報を検索する情報処理装置であり、複数の携帯端末２と無線通信により情報の授受を行い、ＩＣタグリーダー装置３と接続されている。携帯端末２は、ＩＣタグリーダーを有し、携帯可能な携帯型の端末装置であり、サーバ１と無線通信により情報の授受を行い、ユーザにより商品の検索条件が入力され、サーバ１の検索結果に基づき、ユーザが選択した購入する商品の買い物リストを生成する。尚、携帯端末２には、各端末毎に異なる端末識別ＩＤが付与され、サーバ１は端末識別ＩＤに基づき各携帯端末２を識別して情報の授受を行う。ＩＣタグリーダー装置３は、サーバ１と接続され、商品陳列棚４００に陳列された商品４に取り付けられたＩＣタグ４０（後述）の情報を読み取りサーバ１へ出力するリーダー部３０と、赤色灯などの表示ランプ３１とから構成される。
【００１９】
この商品検索システムは、ユーザにより入力された検索条件に基づき商品を検索し、検索結果に基づいてユーザが選択した商品からなる買い物リストを生成し、買い物リストに含まれる商品が店舗内の何処に陳列されているかを検索することができると共に、ユーザが商品を取得した際に、買い物リストに所定の表示を行うものである。このような商品検索システムの各装置の構成の詳細について図２により説明する。
【００２０】
図２は実施の形態１に係る商品検索システムの制御ブロック図である。図において、サーバ１は、サーバ１全体を制御する制御部１０と、無線通信により情報を送受信するＲＦ部１１と、ディスプレイにより情報を表示する表示部１２と、キーボード等によるキー操作入力が行われる操作部１３と、予めＩＣタグ４０に記録された識別情報であるユニークＩＤ（後述）に対応する商品情報が保存された記憶部１４とから構成されてる。制御部１０は、後述する動作により、所定の検索条件が操作部１３により入力されたとき又は携帯端末２から受信したとき、検索条件に基づき商品情報を検索し、検索結果を携帯端末２へ送信する。さらに、ＩＣタグリーダー装置３から入力されたＩＣタグ４０に記録されたユニークＩＤの情報に基づき、任意の商品４の陳列位置を特定する。
【００２１】
携帯端末２は、携帯端末２全体を制御する端末制御部２０と、無線通信により情報を送受信するＲＦ部２１と、液晶パネルにより情報を表示する表示部２２と、表示部２２の液晶パネルの上に配置されたタッチパネルにより入力操作を行う操作部２３と、商品４に取り付けられたＩＣタグ４０に記録された情報を読み取るリーダー部２４とにより構成されている。
【００２２】
ＩＣタグリーダー装置３は、商品４が陳列される商品陳列棚４００毎に配置され、ＩＣタグ４０に記録された情報を読み取るリーダー部３０と、サーバ１からの指示によりランプの点灯又は消灯をする表示ランプ３１とにより構成されている。リーダー部３０は、当該商品棚に陳列された商品４に取り付けられたＩＣタグ４０に記録されたユニークＩＤの情報を読み込み、読み込んだ情報と、当該商品棚の位置に関する情報とをサーバ１へ出力する。ここで、リーダー部３０によるＩＣタグ４０の読み取りは、例えば、電磁誘導方式を用いて、当該商品陳列棚４００内に陳列された全ての商品４に対して読み取り可能な通信範囲のリーダー及びＩＣタグを用いる。このＩＣタグ４０及びリーダー部２４，３０の詳細について図３により説明する。
【００２３】
図３は実施の形態１に係るＩＣタグ及びリーダー部の構成図である。図に示すように、リーダー部２４，３０は、リーダー制御部３０１と送受信部３０２とにより構成され、ＩＣタグ４０は、読み取り専用又は読み取り／書き込み可能なＩＣタグ（ＲＦＩＤ）であり、送受信部４０１、ロジック回路４０２、メモリ４０３により構成されている。リーダー部３０のリーダー制御部３０１は、所定の周波数の搬送波を生成し、送受信部３０２に有するループコイルに誘導電磁界を発生させ、信号の授受を行う。ＩＣタグ４０の送受信部４０１はループコイルを有し、ロジック回路４０２は、送受信部４０１に誘起した信号を基に、動作電源を生成し、メモリ４０３に記憶された情報を読み込み、変調信号として送受信部４０１に送出する。ここで、電磁誘導方式に用いる搬送波は、例えば、通信範囲が数１０ｃｍ〜数ｍ程度の通信が可能な、１３．５６ＭＨｚ又は１３５Ｈｚを使用する。また、ＩＣタグリーダー装置３のリーダー部３０の通信範囲は、当該商品陳列棚４００に陳列された商品４のＩＣタグ４０が読み取り可能な通信範囲のものを用い、携帯端末２のリーダー部２４は、ＩＣタグ４０を近接させて読み取り可能な通信範囲のものを用いる。尚、ＩＣタグ情報の伝送方式はこれに限らず、他の伝送方式によりＩＣタグ４０の情報を読み込んでも良い。メモリ４０３には、標準規格（例えば、ISO/IEC15963）に基づき、個々のＩＣタグを唯一に特定する識別情報であるユニークＩＤが、少なくとも記録されている。尚、このユニークＩＤは書き換えることができないものである。
以上のような構成による本実施の形態１の動作の詳細について図４〜図１０により説明する。
【００２４】
図４〜図６は実施の形態１に係るサーバ及び携帯端末の動作を示すフローチャート、図７〜図１０は実施の形態１に係る携帯端末の画面表示を示す図である。本実施の形態１における動作について、釣具店の店舗内に陳列された商品を検索する動作を例に取り、初心者などが釣り具商品一式を揃える場合の動作を、（１）買い物リスト生成、（２）商品陳列位置表示・商品取得処理、（３）買い物リスト整合処理に分けて、図を参照しながら以下に説明する。
【００２５】
（１）買い物リスト生成
図４において、携帯端末２は、ユーザによる操作部２３の操作により入力された商品検索開始の情報をサーバ１に送信する（Ｓ１）。サーバ１は、第１検索条件として、釣り対象である対象魚リストの情報（例えば、鮎、イワナ、コイなど）を送信する（Ｓ２）。携帯端末２は、図７（ａ）に示すように、受信した対象魚リストの情報を表示する。ユーザは、携帯端末２の操作部２３により対象魚を選択し、携帯端末２は、選択された対象魚の情報を第１検索項目選択の情報としてサーバ１に送信する（Ｓ３）。
【００２６】
サーバ１は、予め保存された各対象魚に対応する第２検索条件である釣り方リストの情報（例えば、餌釣り、ルアーフィッシング、フライフィッシングなど）を携帯端末２に送信する（Ｓ４）。携帯端末２は、図７（ｂ）に示すように、受信した釣り方リストの情報を表示する。ユーザは、携帯端末２の操作部２３により釣り方を選択し、携帯端末２は、選択された釣り方の情報を第２検索項目選択の情報としてサーバ１に送信する（Ｓ５）。サーバ１は、予め保存された対象魚及び釣り方に対応する商品構成品目である仕掛け情報（例えば、竿、糸、目印、オモリ、針）を携帯端末２に送信する（Ｓ６）。
【００２７】
携帯端末２は、図７（ｃ）に示すように、受信した仕掛けの情報を表示する。ユーザは、携帯端末２の操作部２３により、表示された仕掛けの構成品目から任意の品目を選択し、携帯端末２は、選択された品目の情報をサーバ１に送信する（Ｓ７）。サーバ１は、選択された品目の商品を予め保存された商品情報から検索し、検索された商品の商品情報と当該商品に対応するＩＣタグのユニークＩＤの情報とを商品リストとして携帯端末２に送信する（Ｓ８）。携帯端末２は、図８（ａ）に示すように、受信した商品リストの情報を表示する。ユーザは、携帯端末２の操作部２３により、表示された商品リストのうち、購入する商品を選択する。携帯端末２は、選択された商品の商品情報を記憶する（Ｓ９）。
【００２８】
次に、携帯端末２は、仕掛けの構成品目のうち、全ての構成品目の商品が選択されたか否かを判断し（Ｓ１０）、全ての構成品目の商品選択が終了するまで、上記手順Ｓ７〜Ｓ９を繰り返す。手順Ｓ１０にて、全ての構成品目の商品選択が終了したと判断したとき、携帯端末２は、記憶した商品情報に基づき、買い物リストを生成し、図８（ｂ）に示すように、買い物リストを表示画面に表示すると共に、サーバ１に買い物リストの情報を送信する（Ｓ１１）。
【００２９】
尚、上記説明では、全ての構成品目の商品を選択するまで、選択処理を繰り返したが、ユーザによる所定の入力操作により、商品選択を終了させ、買い物リストを生成しても良い。
【００３０】
次に、買い物リストからユーザにより選択された商品の陳列位置を表示し、取得された商品を買い物リストに反映させる動作について図５に基づき説明する。
【００３１】
（２）商品陳列位置表示・商品取得処理
まず、ユーザは、携帯端末２に表示された買い物リストのうち、店舗内の陳列位置を表示させる商品を選択し、携帯端末２は、選択された商品の陳列位置要求をサーバ１に送信する（Ｓ２１）。サーバ１は、商品の陳列位置要求を受信したとき、店舗内に配置された全てのＩＣタグリーダー装置３に対して、ＩＣタグ４０の読み取りを指示する（Ｓ２２）。ＩＣタグリーダー装置３は、当該商品陳列棚４００に陳列された全ての商品４について、ＩＣタグ４０に記録されたユニークＩＤの情報を読み込み、読み込んだユニークＩＤの情報と、当該ＩＣタグリーダー装置３の設置位置に関する情報とをサーバ１へ出力する。サーバ１は、入力されたＩＣタグ４０のユニークＩＤの情報と、ＩＣタグリーダー装置３の設置位置に関する情報と、予め保存された各商品に対するユニークＩＤの情報とに基づき、陳列位置要求された商品が陳列されている商品陳列棚４００を求める（Ｓ２３）。
【００３２】
次に、サーバ１は、求めた陳列位置の情報を携帯端末２に送信し（Ｓ２４）、陳列位置要求された商品が陳列されている商品陳列棚４００に設置されたＩＣタグリーダー装置３の表示ランプ３１を点灯させる（Ｓ２５）。携帯端末２は、図９（ａ）に示すように、店舗内のレイアウト図を表示部２２に表示させ、受信した陳列位置の情報に基づき、店舗内のレイアウト図のうち、陳列位置要求された商品が陳列されている陳列棚表示２０１を識別表示する（Ｓ２６）。ここで、識別表示は例えば、当該陳列棚表示２０１を点滅させる。
【００３３】
ユーザは、携帯端末２の表示部２２の識別表示と、ＩＣタグリーダー装置３の表示ランプ３１の点灯に従い、陳列位置要求した商品の陳列位置を確認し、当該商品を買い物カゴなどに入れることにより取得する。この際、ユーザは取得した商品４を、携帯端末２のリーダー部２４の通信範囲内まで近接させ、ＩＣタグ４０の情報を読み込ませる。携帯端末２は、当該ＩＣタグ４０に記録されたユニークＩＤの情報を読み取る（Ｓ２７）。携帯端末２は、読み取ったユニークＩＤの情報をサーバ１に送信する（Ｓ２８）。サーバ１は、受信したユニークＩＤの情報に基づき、商品４の取得が完了した商品陳列棚４００に設置されたＩＣタグリーダー装置３の表示ランプ３１を消灯させる（Ｓ２９）。携帯端末２は、読み取ったＩＣタグ４０のユニークＩＤの情報と買い物リストの商品情報とに基づき、後述する買い物リスト整合処理を行う（Ｓ３０）。
【００３４】
次に、携帯端末２は、買い物リストのうち、全ての商品が取得されたか否かを判断し（Ｓ３１）、全ての商品の取得が完了するまで、上記手順Ｓ２７〜Ｓ３０を繰り返す。尚、この繰り返し処理において、ユーザにより、商品の陳列位置要求の操作がされたとき、手順Ｓ２１に移行し（図示せず）、同様の動作により当該商品についての陳列位置表示が行われる。手順Ｓ３１にて、全ての商品の取得が完了したと判断したとき、携帯端末２は、図９（ｂ）に示すように、取得した商品の合計金額を表示し、レジでの精算を促すメッセージを表示させる（Ｓ３２）。
【００３５】
尚、上記説明では買い物リストを生成した後、商品の陳列位置要求を行う場合を説明したが、これに限らず、手順Ｓ９において表示された商品リストにて、商品の陳列位置要求を行うようにしても良い。
また、上記説明では、買い物リストに含まれる全ての商品を取得した場合に、取得した商品の合計金額を表示し、レジでの精算を促すメッセージを表示させたが、ユーザによる所定の操作により、取得完了の判断処理を終了させ、合計金額を表示し、レジでの精算を促すメッセージを表示させても良い。このとき、携帯端末２は、商品の取得完了情報を送信し、サーバ１は、点灯させた表示ランプ３１を消灯させる。
【００３６】
次に、上述した手順Ｓ３０における買い物リスト整合処理の動作について図６に基づき説明する。
【００３７】
（３）買い物リスト整合処理
買い物リスト整合処理は、ユーザが買い物リストに含まれていない商品を取得した場合に、買い物リストの商品と取得された商品４との整合を図る処理である。この処理により例えば、ユーザが商品現物を手に取り、買い物リストにない商品を気に入って購入する場合などに、買い物リストと購入する商品との整合を図ることが可能となる。
【００３８】
まず、携帯端末２は、上述した手順Ｓ２７にて読み取ったユニークＩＤの情報と、買い物リストの商品情報とに基づき、取得された商品４が買い物リストに含まれるか否かを判断する（Ｓ４１）。取得された商品４が買い物リストに含まれると判断したとき、図１０（ａ）に示すように、表示部２２に買い物リストを表示させ、読み取ったユニークＩＤの情報に基づき、取得した商品表示２０２を識別表示し（Ｓ４２）、取得された商品の金額を合計金額に加算し表示する（Ｓ４３）。
【００３９】
一方、取得された商品４が買い物リストに含まれないと判断したとき、図１０（ｂ）に示すように、当該商品４と買い物リストの商品とを置き換えるか否かについての確認表示をする（Ｓ４４）。ユーザにより、買い物リストの置き換えが選択されたとき、携帯端末２は、取得された商品４と、買い物リストの内、取得された商品４と同じ品目の商品とを置き換え（Ｓ４５）、上述した手順４２及び４３を行う。ユーザにより、買い物リストの置き換えを行わない旨選択されたとき、携帯端末２は、取得された商品４を買い物リストに新たに追加し（Ｓ４６）、上述した手順４２及び４３を行う。
【００４０】
尚、上記説明では、買い物リストにない商品の置き換え又は追加の場合を説明したが、ユーザによる操作により、買い物リストのうち、任意の商品を削除することができるようにしても良い。
【００４１】
以上のように、本実施の形態１においては、第１及び第２の検索条件に基づき商品の構成品目を検索し、この商品構成品目から選択された品目の商品リストから、操作部２３の操作により、所望の商品が選択され、選択された商品からなる買い物リストを生成するので、ユーザは、所定の条件の場合に必要な商品の構成品目を知ることができると共に、品目毎の商品情報から購入する商品を選択することができる。
【００４２】
また、陳列位置要求により、陳列された商品４に取り付けられたＩＣタグ４０のユニークＩＤの情報を読み取り、読み取ったユニークＩＤの情報とＩＣタグリーダー装置３の設置位置に関する情報とにより、商品４の陳列位置を求め、求めた当該商品４の陳列位置を表示部２２において当該陳列棚を識別表示すると共に、表示ランプ３１を点灯させるので、ユーザは、陳列位置要求した所望の商品が陳列されているか否かを知ることができると共に、陳列されている位置を精度良く知ることができる。
【００４３】
また、買い物リストに含まれる商品４が取得されたとき、当該商品４のＩＣタグ４０のユニークＩＤの情報を読み取り、読み取ったユニークＩＤの情報に基づき、表示部２２に取得した商品の識別表示をするので、ユーザは、取得した商品４が、買い物リストに含まれる商品と一致するか否かを知ることができる。
【００４４】
また、ユーザが取得した商品４と、買い物リストの商品と整合し、買い物リストの商品の取得が完了したか否かを判断しているので、必要な商品が全て揃ったことが認識できる。また、買い物リストにない商品４を取得したとき、買い物リストの置き換え又は追加をすることができるので、ユーザが実際に購入する商品を買い物リストに反映することができる。
【００４５】
さらに、ＩＣタグ４０に当該ＩＣタグ４０を唯一に特定するユニークＩＤが記録されており、記憶手段１３には、少なくともＩＣタグ４０のユニークＩＤに対応する商品の商品情報が保存されているので、ＩＣタグ４０が取り付けられた商品４の陳列位置を求めることができると共に、当該商品４の商品情報を検索することができる。
【００４６】
尚、本実施の形態では、サーバ１と携帯端末２との接続を無線とし、サーバ１とＩＣタグリーダー装置３との接続を有線としたが、本発明はこれに限らず、それぞれ無線又は優先により情報の授受を行っても良い。
また、サーバ１にプリンタを設け、サーバ１の操作部１３又は携帯端末２の操作部２３の操作により、任意の商品の商品情報、陳列位置又は商品構成品目を印刷することができるようにしても良い。
【００４７】
また、本実施の形態では、サーバ１から送信された検索条件から、携帯端末２の操作２３の操作により検索項目を選択し、携帯端末２により買い物リストを生成したが、本発明はこれに限らず、サーバ１の操作部１３の操作により検索条件を選択して、サーバ１により買い物リストを生成し、生成した買い物リストの情報を携帯端末２に送信しても良い。
【００４８】
また、本実施の形態では、ＩＣタグ４０に記録されたユニークＩＤの情報に基づき、商品を識別したが、本発明はこれに限らず、商品を識別することができる情報で良く、例えば、ＩＣタグ４０に商品情報を書き込み、これに基づき商品を識別しても良い。
【００４９】
実施の形態２．
上記実施の形態１では、第１及び第２の検索条件に対応する商品の構成品目を検索し、検索結果の情報を携帯端末２に送信したが、本実施の形態２では、携帯端末２のリーダー部２４により読み取ったＩＣタグ４０のユニークＩＤの情報に基づき、商品の構成品目の情報を検索する。尚、本実施の形態２におけるシステム構成及び各装置の構成は実施の形態１と同様である。
【００５０】
図１１は実施の形態２に係るサーバ及び携帯端末の動作を示すフローチャート、図１２及び図１３は実施の形態２に係る携帯端末の画面表示を示す図である。まず、ユーザは、店舗内に陳列された任意の商品４を取得し、取得した商品４を、携帯端末２のリーダー部２４の通信範囲内まで近接させ、ＩＣタグ４０の情報を読み込ませる。携帯端末２は、当該ＩＣタグ４０に記録されたユニークＩＤの情報を読み取る（Ｓ５１）。携帯端末２は、読み取ったＩＣタグ４０のユニークＩＤの情報をサーバ１に送信する（Ｓ５２）。サーバ１は、受信したユニークＩＤの情報に基づき、取得された商品４を認識し、取得された商品４に対応する商品の構成品目を送信する（Ｓ５３）。ここで例えば、ユーザにより、渓流竿が取得された場合、サーバ１は、渓流竿に対応する仕掛け（例えば、糸、目印、オモリ、針）を構成品目として送信する。
【００５１】
次に、携帯端末２は、図１２に示すように、受信した構成品目の情報を画面に表示する。ユーザは、携帯端末２の操作部２３により、表示された仕掛けの構成品目から任意の品目を選択し、携帯端末２は、選択された品目の情報をサーバ１に送信する（Ｓ５４）。サーバ１は、受信した品目の情報に対応する商品を、予め保存された商品情報から検索し、検索された商品の商品情報と当該商品に対応するユニークＩＤの情報とを商品リストとして携帯端末２に送信する（Ｓ５５）。携帯端末２は、図１３に示すように、受信した商品リストの情報を表示する。ユーザは、携帯端末２の操作部２３により、表示された商品リストのうち、購入する商品を選択し、携帯端末２は、選択された商品の商品情報を記憶する（Ｓ５６）。
【００５２】
次に、携帯端末２は、仕掛けの構成品目のうち、全ての構成品目の商品が選択されたか否かを判断し（Ｓ５７）、全ての構成品目の商品選択が終了するまで、上記手順Ｓ５４〜Ｓ５６を繰り返す。手順Ｓ５７にて、全ての構成品目の商品選択が終了したと判断したとき、携帯端末２は、記憶した商品情報に基づき、買い物リストを生成し、表示画面に表示すると共に、サーバ１に買い物リストの情報を送信する（Ｓ５８）。
尚、上記説明では、全ての構成品目の商品を選択するまで、選択処理を繰り返したが、ユーザによる所定の入力操作により、商品選択を終了させ、買い物リストを生成しても良い。
【００５３】
買い物リストを生成した後は、上述した実施の形態１と同様の動作により、商品陳列位置表示・商品取得処理及び買い物リスト整合処理を行う。
【００５４】
以上のように、本実施の形態２においては、上記実施の形態１の効果に加え、ユーザにより取得された任意の商品４に応じた商品構成品目を検索し、この商品構成品目からユーザの操作により選択された品目の商品を、商品情報から検索するので、ユーザは、任意の商品４に応じた商品構成品目を知ることができると共に、品目毎の商品情報から購入する商品を選択することができる。
【００５５】
実施の形態３．
上記実施の形態１及び２では、サーバ１により商品４の検索及び商品４の陳列位置の特定を行ったが、本実施の形態３では、携帯端末２にＩＣタグ４０のユニークＩＤに対応した商品情報が保存され、陳列棚端末５により、ＩＣタグリーダー装置３の制御を行う。
【００５６】
図１４は実施の形態３に係る商品検索システムのシステム構成図である。図に示すように、本実施の形態３では、携帯端末２と陳列棚端末５とが無線通信により情報の授受を行い、携帯端末２により商品の検索及び買い物リストの生成を行う。また、陳列棚端末５は、商品陳列棚４００毎に配置され、当該商品陳列棚４００に陳列された商品４のＩＣタグ４０の情報を読み込み、携帯端末２に読み込んだ情報を送信する。
【００５７】
図１５は実施の形態３に係る商品検索システムの制御ブロック図である。携帯端末２は、上記実施の形態１で説明した構成に加え、予めＩＣタグ４０に記録された識別情報であるユニークＩＤに対応する商品情報が保存された記憶部２５を備えており、陳列棚端末５は、端末全体を制御する端末制御部５０と、無線通信により情報を送受信するＲＦ部５１と、ＩＣタグリーダー装置３とから構成されている。端末制御部５０は、ＲＦ部５１により受信した携帯端末２から送信された情報が入力され、入力された情報に基づきＩＣタグリーダー装置３を制御する。また、ＩＣタグリーダー装置３により読み込まれたＩＣタグ４０の情報が入力され、当該情報を、ＲＦ部５１を介して携帯端末２へ送信する。尚、ＩＣタグリーダー装置３の構成及び商品４に取り付けられたＩＣタグ４０の構成は、上述した実施の形態１と同様である。このような構成による本実施の形態３の動作を次に説明する。
【００５８】
携帯端末２は、操作部２３の操作により入力された、上述した第１及び第２の検索条件に基づき、又は、ユーザにより取得された任意の商品４のＩＣタグ４０の情報を読み込み、読み込んだユニークＩＤの情報に基づき、商品の構成品目を検索する。ユーザは、検索された構成品目から任意の品目を選択し、携帯端末２は選択された品目に対応する商品情報を検索し、検索した商品の商品リストを表示する。ユーザは、表示された商品リストのうち、購入する商品を選択し、携帯端末２は選択された商品情報に基づき、買い物リストを生成し、表示画面に表示する。このような動作により生成された買い物リストの商品の、商品陳列位置表示・商品取得処理を図１６に基づき説明する。
【００５９】
図１６は実施の形態３に係る陳列棚端末及び携帯端末の動作を示すフローチャートである。買い物リストの生成が完了した後、ユーザは、携帯端末２に表示された買い物リストのうち、店舗内の陳列位置を表示させる商品を選択し、携帯端末２は、選択された商品に対応するユニークＩＤの情報を含めた陳列位置要求を、全ての陳列棚端末５に送信する（Ｓ６１）。陳列棚端末５は、陳列位置要求を受信したとき、ＩＣタグリーダー装置３により、当該商品陳列棚４００に陳列された全ての商品４について、ＩＣタグ４０に記録されたユニークＩＤの情報を読み込み（Ｓ６２）、読み込んだＩＣタグ４０のユニークＩＤの情報と、陳列位置要求された商品のユニークＩＤの情報とを比較し、陳列位置要求された商品が当該商品陳列棚４００に陳列されているか否かを判断する（Ｓ６３）。陳列位置要求された商品が当該商品陳列棚４００に陳列されていないと判断したとき、陳列棚端末は処理を終了する。
【００６０】
一方、陳列位置要求された商品が当該商品陳列棚４００に陳列されていると判断したとき、陳列棚端末５は、当該商品陳列棚４００の位置の情報を携帯端末２に送信し（Ｓ６４）、ＩＣタグリーダー装置３の表示ランプ３１を点灯させる（Ｓ６５）。携帯端末２は、受信した商品陳列棚４００の位置の情報に基づき、上述した図９（ａ）に示すように、店舗内のレイアウト図のうち、陳列位置要求された商品が陳列されている陳列棚表示２０１を識別表示する（Ｓ６６）。
【００６１】
ユーザは、携帯端末２の表示部２２の識別表示と、陳列棚端末５の表示ランプ３１の点灯に従い、陳列位置要求した商品の陳列位置を確認し、当該商品を買い物カゴなどに入れることにより取得する。この際、ユーザは取得した商品４を、携帯端末２のリーダー部２４の通信範囲内まで近接させ、ＩＣタグ４０の情報を読み込ませる。携帯端末２は、当該ＩＣタグ４０に記録されたユニークＩＤを読み取る（Ｓ６７）。携帯端末２は、読み取ったユニークＩＤの情報を陳列棚端末５に送信する（Ｓ６８）。陳列棚端末５は、受信したユニークＩＤの情報に基づき、陳列位置要求された商品の取得完了を認識して表示ランプ３１を消灯させる（Ｓ６９）。携帯端末２は、読み取ったユニークＩＤの情報と買い物リストの商品情報とに基づき、上述した買い物リスト整合処理を行う（Ｓ７０）。
【００６２】
次に、携帯端末２は、買い物リストのうち、全ての商品が取得されたか否かを判断し（Ｓ７１）、全ての商品の取得が完了するまで、上記手順Ｓ６７〜Ｓ７０を繰り返す。尚、この繰り返し処理において、ユーザにより、商品の陳列位置要求の操作がされたとき、手順Ｓ６１に移行し（図示せず）、同様の動作により当該商品についての陳列位置表示が行われる。手順Ｓ７１にて、全ての商品の取得が完了したと判断したとき、携帯端末２は、上述した図９（ｂ）に示すように、取得した商品の合計金額を表示し、レジでの精算を促すメッセージを表示させる（Ｓ７２）。
【００６３】
尚、携帯端末２は、陳列位置要求を送信して所定の時間経過後、何れの陳列棚端末５からも陳列位置情報が受信できないとき、陳列位置要求した商品が店舗内にない旨の表示をする。
【００６４】
以上のように、本実施の形態３では、サーバ１を設けることなく、携帯端末２と、各商品陳列棚４００に設置された陳列棚端末５とにより、買い物リスト生成、商品陳列位置表示・商品取得処理及び買い物リスト整合処理を行うことができるので、上記実施の形態１及び２の効果に加え、システム構成を簡易なものにすることができる。
【図面の簡単な説明】
【００６５】
【図１】実施の形態１に係る商品検索システムのシステム構成図。
【図２】実施の形態１に係る商品検索システムの制御ブロック図。
【図３】実施の形態１に係るＩＣタグ及びリーダー部の構成図。
【図４】実施の形態１に係るサーバ及び携帯端末の動作を示すフローチャート。
【図５】実施の形態１に係るサーバ及び携帯端末の動作を示すフローチャート。
【図６】実施の形態１に係るサーバ及び携帯端末の動作を示すフローチャート。
【図７】実施の形態１に係る携帯端末の画面表示を示す図。
【図８】実施の形態１に係る携帯端末の画面表示を示す図。
【図９】実施の形態１に係る携帯端末の画面表示を示す図。
【図１０】実施の形態１に係る携帯端末の画面表示を示す図。
【図１１】実施の形態２に係るサーバ及び携帯端末の動作を示すフローチャート。
【図１２】実施の形態２に係る携帯端末の画面表示を示す図。
【図１３】実施の形態２に係る携帯端末の画面表示を示す図。
【図１４】実施の形態３に係る商品検索システムのシステム構成図。
【図１５】実施の形態３に係る商品検索システムの制御ブロック図。
【図１６】実施の形態３に係る陳列棚端末及び携帯端末の動作を示すフローチャート。
【符号の説明】
【００６６】
１  サーバ、２  携帯端末、３  ＩＣタグリーダー装置、４  商品、５  陳列棚端末、１０  制御部、１１  ＲＦ部、１２  表示部、１３  操作部、１４  記憶部、２０  端末制御部、２１  ＲＦ部、２２  表示部、２３  操作部、２４  リーダー部、３０  リーダー部、３１  表示ランプ、４０  ＩＣタグ、５０  端末制御部、５１  ＲＦ部、２０１  陳列棚表示、２０２  商品表示、３０１  リーダー制御部、３０２  送受信部、４００  商品陳列棚、４０１  送受信部、４０２  ロジック回路、４０３  メモリ。
【図１】
2008027330.tif 000003
【図２】
2008027330.tif 000004
【図３】
2008027330.tif 000005
【図４】
2008027330.tif 000006
【図５】
2008027330.tif 000007
【図６】
2008027330.tif 000008
【図７】
2008027330.tif 000009
【図８】
2008027330.tif 000010
【図９】
2008027330.tif 000011
【図１０】
2008027330.tif 000012
【図１１】
2008027330.tif 000013
【図１２】
2008027330.tif 000014
【図１３】
2008027330.tif 000015
【図１４】
2008027330.tif 000016
【図１５】
2008027330.tif 000017
【図１６】
2008027330.tif 000018